(57)【要約】【課題】デザイン上の制約を受けることなく、一つの操作部の操作によって、ロック機構を解除するに際し、誤操作が起こり得ない構造を備えた装身具用中留め、装身具及び時計を提供する。【解決手段】上箱１２と、この上箱に連結された下板１６とを有し、上箱１２にはこの上箱内に下板が収められた場合、下板１６に設けられた食付き部１８に食い付いて上箱１２からの下板１６の離脱を阻止するロック機構を備え、このロック機構を解除する一つの操作部２１を備え、この一つの操作部２１を初期位置から第一方向に移動させ、且つ、当該操作部２１を第一方向とは異なる第二方向に移動させることにより、ロック機構を解除させる。【選択図】      図２
2004267329.tif 000002
【特許請求の範囲】
【請求項１】
上箱と、この上箱に連結された下板とを有し、
上箱にはこの上箱内に下板が収められた場合、下板に設けられた食付き部に食付いて上箱からの下板の離脱を阻止するロック機構を備え、
このロック機構を解除する一つの操作部を備え、
この一つの操作部を初期位置から第一方向に移動させ、且つ、当該操作部を第一方向とは異なる第二方向に移動させることにより、前記ロック機構を解除させることを特徴とする装身具用中留め。
【請求項２】
前記操作部が上箱の側壁の開口から突出し、
前記第一方向が開口の巾方向であり、
前記第二方向が上箱の内方への押し込み方向であることを特徴とする請求項１記載の装身具用中留め。
【請求項３】
前記操作部が上箱の側壁の開口から突出し、
前記第一方向が開口の高さ方向であり、
前記第二方向が上箱の内方への押し込み方向であることを特徴とする請求項１記載の装身具用中留め。
【請求項４】
前記操作部が上箱内に延びる延長部を有し、
この延長部が下板に設けられた食付き部に食付く食付き孔を備え、
一つの操作部を第一方向に移動させる段階では、食付き孔から食付き部が外れず、第一方向に移動させた後、当該操作部を、第一方向とは異なる第二方向に移動させた場合、食付き孔から食付き部が離脱することを特徴とする請求項２又は３記載の装身具用中留め。
【請求項５】
前記操作部が初期位置にある場合、当該操作部の第二方向への移動が規制されることを特徴とする請求項１乃至４のいずれか一項記載の装身具用中留め。
【請求項６】
前記操作部が第一方向と反対方向、並びに第二方向と反対方向にばね付勢されていることを特徴とする請求項１乃至５のいずれか一項記載の装身具用中留め。
【請求項７】
前記上箱と前記下板とが中板を介して連結され、この中板が食付き部を通す窓孔を備えたことを特徴とする請求項１乃至６のいずれか一項記載の装身具用中留め。
【請求項８】
請求項１乃至請求項７のいずれか一項記載の中留めを備えことを特徴とする装身具。
【請求項９】
時計本体と、時計バンドとを有し、この時計バンドが中留めを備えた時計において、
前記中留めが、
上箱と、この上箱に連結された下板とを有し、
上箱にはこの上箱内に下板が収められた場合、下板に設けられた食付き部に食い付いて上箱からの下板の離脱を阻止するロック機構を備え、
このロック機構を解除する一つの操作部を備え、
この一つの操作部を初期位置から第一方向に移動させ、且つ、当該操作部を第一方向とは異なる第二方向に移動させることにより、前記ロック機構を解除させることを特徴とする時計。
【請求項１０】
前記操作部が上箱の側壁の開口から突出し、
前記第一方向が開口の巾方向であり、
前記第二方向が上箱の内方への押し込み方向であることを特徴とする請求項９記載の時計。
【請求項１１】
前記操作部が上箱の側壁の開口から突出し、
前記第一方向が開口の高さ方向であり、
前記第二方向が上箱の内方への押し込み方向であることを特徴とする請求項９記載の時計。
【請求項１２】
前記操作部が上箱内に延びる延長部を有し、
この延長部が下板に設けられた食付き部に食付く食付き孔を備え、
一つの操作部を第一方向に移動させる段階では、食付き孔から食付き部が外れず、第一方向に移動させた後、当該操作部を、第一方向とは異なる第二方向に移動させた場合、食付き孔から食付き部が離脱することを特徴とする請求項１０又は１１記載の時計。
【請求項１３】
前記操作部が初期位置にある場合、当該操作部の第二方向への移動が規制されることを特徴とする請求項９乃至１２のいずれか一項記載の時計。
【請求項１４】
前記操作部が第一方向と反対方向、並びに第二方向と反対方向にばね付勢されていることを特徴とする請求項９乃至１３のいずれか一項記載の時計。
【発明の詳細な説明】
【０００１】
【発明の属する技術分野】
本発明は、例えば、誤操作等によりロックが解除されることがない装身具用中留め、装身具及び時計に関する。
【０００２】
【従来の技術】
一般に、時計本体と時計バンドとを有し、このバンドが中留めを備えた腕時計が知られている。この種のものでは、バンドの一部を構成する中留めが、上箱と、この上箱に連結された下板とを有し、上箱にはこの上箱内に下板が収められた場合、下板に設けられた食付き部に食い付いて上箱からの下板の離脱を阻止するロック機構を備えて構成される。このロック機構は、上箱の両側に設けた一対の操作部を、上箱の内方に押し込むことにより解除される。しかし、上箱の両側に操作部を配置した場合、構造上、上箱の幅が大きくなり、女性用等の細幅バンドではデザイン上の制約を受けるという問題がある。
これに対し、構造を簡素化するために、一対の操作部を形成することなく、一つの操作部だけを形成して、この一つの操作部の操作によって、ロック機構を解除することが提案されている。
【０００３】
一対の操作部を、上箱の内方に押し込むことによりロック解除される構成では、一つの操作部だけが押し込まれても、ロック解除されることはないから、誤操作によるロック解除が少ない。
これに対して、一つの操作部の操作によって、ロック解除される構成では、ロック解除する意志に反し、例えば、何かに操作部が接触しただけでも、ロック解除される事態が起こり得るという問題がある。
意志に反してロックが解除された場合、例えば、腕から腕時計が外れ、これを紛失してしまう恐れがある。
このような不用意な外れ等を防止するため、従来、上箱の側壁に押し操作用の凹形状の切り欠きを形成し、この切り欠き内に操作部を収めて、意志に反した誤操作を防止するものが提案されている（特許文献１）。
【特許文献１】
実用新案登録第３０３７３８１号公報
【０００４】
【発明が解決しようとする課題】
しかし、従来の技術では、上箱の両側に操作部を配置した場合と同様に、構造上、上箱の幅が大きくなり、女性用等の細幅バンドではデザイン上の制約を受けるという問題がある。例えば、上箱の最小幅を６ｍｍに抑えようとした場合、それが不可能になる等の問題がある。
そこで、本発明の目的は、上述した従来の技術が有する課題を解消し、デザイン上の制約を受けることなく、一つの操作部の操作によって、ロック機構を解除するに際し、誤操作が起こり得ない構造を備えた装身具用中留め、装身具及び時計を提供することにある。
【０００５】
【課題を解決するための手段】
請求項１記載の発明は、上箱と、この上箱に連結された下板とを有し、上箱にはこの上箱内に下板が収められた場合、下板に設けられた食付き部に食い付いて上箱からの下板の離脱を阻止するロック機構を備え、このロック機構を解除する一つの操作部を備え、この一つの操作部を初期位置から第一方向に移動させ、且つ、当該操作部を第一方向とは異なる第二方向に移動させることにより、前記ロック機構を解除させることを特徴とする。
請求項２記載の発明は、請求項１記載のものにおいて、前記操作部が上箱の側壁の開口から突出し、前記第一方向が開口の巾方向であり、前記第二方向が上箱の内方への押し込み方向であることを特徴とする。
請求項３記載の発明は、請求項１記載のものにおいて、前記操作部が上箱の側壁の開口から突出し、前記第一方向が開口の高さ方向であり、前記第二方向が上箱の内方への押し込み方向であることを特徴とする。
【０００６】
請求項４記載の発明は、請求項２又は３記載のものにおいて、前記操作部が上箱内に延びる延長部を有し、この延長部が下板に設けられた食付き部に食い付く食付き孔を備え、一つの操作部を第一方向に移動させる段階では、食付き孔から食付き部が外れず、第一方向に移動させた後、当該操作部を、第一方向とは異なる第二方向に移動させた場合、食付き孔から食付き部が離脱することを特徴とする。
請求項５記載の発明は、請求項１乃至４のいずれか一項記載のものにおいて、前記操作部が初期位置にある場合、当該操作部の第二方向への移動が規制されることを特徴とする。
請求項６記載の発明は、請求項１乃至５のいずれか一項記載のものにおいて、前記操作部が第一方向と反対方向、並びに第二方向と反対方向にばね付勢されていることを特徴とする。
【０００７】
請求項７記載の発明は、請求項１乃至６のいずれか一項記載のものにおいて、前記上箱と前記下板とが中板を介して連結され、この中板が食付き部を通す窓孔を備えたことを特徴とする。
請求項８記載の発明は、請求項１乃至請求項７のいずれか一項記載の中留めを備えことを特徴とする。
【０００８】
請求項９記載の発明は、時計本体と、時計バンドとを有し、この時計バンドが中留めを備えた時計において、前記中留めが、上箱と、この上箱に連結された下板とを有し、上箱にはこの上箱内に下板が収められた場合、下板に設けられた食付き部に食付いて上箱からの下板の離脱を阻止するロック機構を備え、このロック機構を解除する一つの操作部を備え、この一つの操作部を初期位置から第一方向に移動させ、且つ、当該操作部を第一方向とは異なる第二方向に移動させることにより、前記ロック機構を解除させることを特徴とする。
請求項１０記載の発明は、請求項９記載のものにおいて、前記操作部が上箱の側壁の開口から突出し、前記第一方向が開口の巾方向であり、前記第二方向が上箱の内方への押し込み方向であることを特徴とする。
請求項１１記載の発明は、請求項９記載のものにおいて、前記操作部が上箱の側壁の開口から突出し、前記第一方向が開口の高さ方向であり、前記第二方向が上箱の内方への押し込み方向であることを特徴とする。
【０００９】
請求項１２記載の発明は、請求項１０又は１１記載のものにおいて、前記操作部が上箱内に延びる延長部を有し、この延長部が下板に設けられた食付き部に食い付く食付き孔を備え、一つの操作部を第一方向に移動させる段階では、食付き孔から食付き部が外れず、第一方向に移動させた後、当該操作部を、第一方向とは異なる第二方向に移動させた場合、食付き孔から食付き部が離脱することを特徴とする。
請求項１３記載の発明は、請求項９乃至１２のいずれか一項記載のものにおいて、前記操作部が初期位置にある場合、当該操作部の第二方向への移動が規制されることを特徴とする。
請求項１４記載の発明は、請求項９乃至１３のいずれか一項記載のものにおいて、前記操作部が第一方向と反対方向、並びに第二方向と反対方向にばね付勢されていることを特徴とする。
【００１０】
【発明の実施の形態】
以下、本発明による一実施形態を添付の図面を参照して説明する。
図１は、本発明の実施形態に係る腕時計の外観構成を示す図である。この腕時計１は、時刻表示を行う時計本体３と、この時計本体３に連結されたバンド５とから構成される。時計本体３は、ステンレス、チタン等で形成された金属ケース内に、時計表示部が内蔵されて構成される。
なお、本実施形態では、時刻をアナログ表示する腕時計を例示したが、時刻をデジタル表示する腕時計であってもよい。
バンド５は、ステンレス、チタン等の金属材料で形成された駒を多数連結して構成される。バンド５は、上バンド５Ａと、下バンド５Ｂとからなり、これら上バンド５Ａと、下バンド５Ｂとは、この腕時計１を装着部位（装着者の手首）に止めるため、中留め７で結束される。なお、バンド５は、金属材料で形成された駒を多数連結して構成されるものに限定されず、例えば、皮バンド、ウレタン・ゴム等のラバー系バンドであってもよい。
【００１１】
図２は、中留め７を示す。この中留め７は、上バンド５Ａにピン１１を介して連結された上箱１２と、この上箱１２にピン１３を介して連結された中板１４と、この中板１４に連結部１５を介して連結された下板１６とを有し、この下板１６は下バンド５Ｂに連結部１７を介して連結されている。この下板１６には食付きピン（食付き部）１８が一体に形成されている。この食付きピン１８は、中留め７が閉じられたとき、中板１４の窓孔１９を貫通し、上箱１２内に延出し、この上箱１２内で、一つの操作部２１により解除されるロック機構（図示せず）に食付かれる。これによって、この上箱１２内に中板１４及び下板１６が収められた場合、上箱１２からの中板１４及び下板１６の離脱が阻止され、中留め７の閉じた状態がロックされる。
【００１２】
図３乃至図５は、ロック機構を示す。
このロック機構を解除する一つの操作部２１は、上箱１２の側壁１２Ａの開口１２Ｂから外方に突出している。この操作部２１は、上箱１２内にこの上箱１２とほぼ平行に延びる延長部２２を有し、この延長部２２には、下板１６に設けられた食付きピン１８に食付くほぼ矩形状の食付き孔２３が形成されている。操作部２１と延長部２２との境界部には溝２４が形成され、この溝２４内には、上箱１２の側壁１２Ａが嵌合されている。
この操作部２１は、二つのばね２５，２６によって二方向に付勢されている。すなわち、操作部２１は、第一のばね２５によって、上記溝２４内に上箱１２の側壁１２Ａを嵌合させる方向に付勢され、第二のばね２６によって、上箱１２の開口１２Ｂから外方に突出する方向に付勢されている。
【００１３】
つぎに、この実施形態の動作を説明する。
図３は、中留め７が閉じた状態を示している。この場合、下板１６の食付きピン１８の首部に、延長部２２の食付き孔２３が食付いており、上箱１２からの中板１４及び下板１６の離脱が阻止され、中留め７の閉じた状態がロックされている。このロックを解除する場合、図４に示すように、操作部２１を、まず初期位置（図３の位置）から第一方向Ｙに移動させ、且つ、そのままの位置で、当該操作部２１を、図５に示すように、第一方向Ｙとは異なる第二方向Ｘに移動させる。この場合、第一方向Ｙは開口１２Ｂの巾方向であり、第二方向Ｘは上箱１２の内方への押し込み方向である。
【００１４】
上記動作過程において、一つの操作部２１を第一方向Ｙに移動させる段階では、図３及び図４に示すように、延長部２２の食付き孔２３から下板１６の食付きピン１８が外れず、第一方向Ｙに移動させた後、当該操作部２１を、第一方向Ｙとは異なる第二方向Ｘに移動させた場合、図５に示すように、延長部２２の食付き孔２３から下板１６の食付きピン１８が離脱し、中留め７が外れる。
上記構成では、操作部２１が、図３に示す初期位置にある場合、操作部２１と延長部２２との境界部の溝２４内に、上箱１２の側壁１２Ａが嵌合されているため、当該操作部２１の第二方向Ｘへの移動は規制される。
【００１５】
本実施形態では、操作部２１が、第一方向Ｙに移動しただけでは、延長部２２の食付き孔２３から下板１６の食付きピン１８が外れることがなく、しかも、操作部２１が第一方向Ｙに移動した後でなければ、すなわち、操作部２１が、図３に示す初期位置にあるような場合に、当該操作部２１の第二方向Ｘへの直接の移動は、外箱１２の側壁１２Ａによって規制されるため、ロック解除する意志に反し、例えば、何かに操作部が接触しただけで、ロック解除されることがない。
従って、意志に反してロックが解除されて、例えば、腕から時計が外れ、これを紛失する等のトラブルが解消される。
【００１６】
本実施形態では、上箱１２の側壁１２Ａに一つの操作部２１を配置したため、両側に操作部を配置した従来のものと比較し、上箱１２の幅を狭めることができる。従って、上箱１２の幅を６ｍｍに抑えることも可能になり、女性用等の細幅バンドにも好適なものとなる。
【００１７】
図６は、別の実施形態を示す。
この中留め７は、上バンド５Ａにピン１１を介して連結された上箱１２と、この上箱１２にピン１３を介して連結された中板１４と、この中板１４に連結部１５を介して連結された下板１６とを有し、この下板１６は下バンド５Ｂに連結部１７を介して連結されている。この下板１６には食付きピン１８が一体に形成されている。この食付きピン１８は、中留め７が閉じられたとき、中板１４の窓孔１９を貫通し、上箱１２内に延出し、この上箱１２内で、一つの操作部３１により解除されるロック機構（図示せず）に食付かれる。
これによって、この上箱１２内に中板１４及び下板１６が収められた場合、上箱１２からの中板１４及び下板１６の離脱が阻止され、中留め７の閉じた状態がロックされる。
【００１８】
図７乃至図１０は、ロック機構を示す。このロック機構を解除する一つの操作部３１は、上箱１２の側壁１２Ａの開口１２Ｂから外方に突出している。この操作部３１は、上箱２１内にこの上箱１２とほぼ平行に延びる延長部３２を有し、この延長部３２には、下板１６に設けられた食付きピン１８に食付くほぼ矩形状の食付き孔３３が形成されている。また、上箱１２内には延長部３２とほぼ並行にガイド板３４が設けられ、このガイド板３４には、延長部３２の内端３２Ａが当接可能な突起３５と、食付きピン１８の先端が貫通する開口３６とが形成されている。この操作部３１は、二つのばね３７，３８によって二方向に付勢されている。すなわち、操作部３１は、第三のばね３７によって、ガイド板３４側に付勢され、第四のばね３８によって、上箱１２の開口１２Ｂから外方に突出する方向に付勢されている。
【００１９】
つぎに、この実施形態の動作を説明する。
図７は、中留め７が閉じた状態を示している。この場合、下板１６の食付きピン１８の首部に、延長部３２の食付き孔３３が食付いており、上箱１２からの中板１４及び下板１６の離脱が阻止され、中留め７の閉じた状態がロックされている。このロックを解除する場合、図８に示すように、操作部３１を、まず初期位置（図７の位置）から第一方向Ｙに移動させ、且つ、そのままの位置で、当該操作部３１を、図９及び図１０に示すように、第一方向Ｙとは異なる第二方向Ｘに移動させる。この場合、第一方向Ｙは開口１２Ｂの高さＨ（図６）方向であり、第二方向Ｘは上箱１２の内方への押し込み方向である。
【００２０】
上記動作過程において、一つの操作部３１を第一方向Ｙに移動させる段階では、図７及び図８に示すように、延長部３２の食付き孔３３から下板１６の食付きピン１８が外れず、第一方向Ｙに移動させた後、当該操作部３１を、第一方向Ｙとは異なる第二方向Ｘに移動させた場合、図９及び図１０に示すように、延長部３２の食付き孔３３から食付きピン１８が離脱し、中留め７が外れる。
上記構成では、図７に示す初期位置において、ガイド板３４の突起３５と、延長部３２の内端３２Ａとが同一面内で対向し、これらが当接可能な状態にある。従って、この初期位置において、操作部３１が、第二方向Ｘへ押圧されたとしても、延長部３２の内端３２Ａがガイド板３４の突起３５に当接するため、それ以上押し込むことができず、この操作部３１の移動は規制される。
【００２１】
本実施形態では、操作部３１が、第一方向Ｙに移動しただけでは、延長部３２の食付き孔３３から食付きピン１８が外れることがなく、しかも、操作部３１が、第一方向Ｙに移動した後でなければ、すなわち、操作部３１が、図７に示す初期位置にあるような場合には、当該操作部３１の第二方向Ｘへの直接の移動が規制されるため、ロック解除する意志に反して、例えば、何かに操作部が接触しただけで、ロック解除されるようなことがない。
従って、意志に反してロックが解除されて、例えば、腕から時計が外れ、これを紛失する等のトラブルが解消される。
【００２２】
以上、一実施形態に基づいて本発明を説明したが、本発明は、これに限定されるものでないことは明らかである。上記実施形態では、三折式の中留めについて説明したか、これに限定されず、例えば、図１１に示すように、観音式中留め４１や、図１２に示すように、セパレート式中留め５１等にも、上記構成を適用可能なことは云うまでもない。
【００２３】
【発明の効果】
本発明では、一つの操作部の操作によって、ロック機構を解除するに際し、意志に反したロック解除を防止できる。上箱に一つの操作部を配置したため、両側に操作部を配置した従来のものと比較し、上箱の幅を狭めることができる。従って、上箱の幅を例えば６ｍｍ程度に抑えることも可能になり、女性用等の細幅バンドにも好適なものとなる。
【図面の簡単な説明】
【図１】本発明に係る腕時計の一実施形態を示す斜視図である。
【図２】中留めの斜視図である。
【図３】上箱の内部を示す平面図である。
【図４】上箱の内部を示す平面図である。
【図５】上箱の内部を示す平面図である。
【図６】別の実施形態を示す斜視図である。
【図７】上箱の内部を示す断面図である。
【図８】上箱の内部を示す断面図である。
【図９】上箱の内部を示す断面図である。
【図１０】上箱の内部を示す断面図である。
【図１１】別の実施形態を示す斜視図である。
【図１２】別の実施形態を示す斜視図である。
【符号の説明】
１…腕時計  ３…時計本体  ５…バンド  ７…中留め（結束部）  １２…上箱１４…中板  １６…下板  １８…食付きピン  ２１、３１…操作部  ２２、３２…延長部  ２３、３３…食付き孔  ２４…溝  ２５，２６…ばね
【図１】
2004267329.tif 000003
【図２】
2004267329.tif 000004
【図３】
2004267329.tif 000005
【図４】
2004267329.tif 000006
【図５】
2004267329.tif 000007
【図６】
2004267329.tif 000008
【図７】
2004267329.tif 000009
【図８】
2004267329.tif 000010
【図９】
2004267329.tif 000011
【図１０】
2004267329.tif 000012
【図１１】
2004267329.tif 000013
【図１２】
2004267329.tif 000014